(57)【要約】【課題】  前軸に対して後軸を相対的に回転させたときに、摺動抵抗のばらつきが少なくてスムーズに回転し、高級感を出すのに適した回転カム式の筆記具を提供する。【解決手段】  前軸１と後軸２からなる軸筒内にレフィール３およびカム機構が配置され、前軸に対して後軸を相対的に回転させるとカム機構の作用によりレフィールが前後進し、レフィールのペン体３１が前軸の先端開口１１から出没する筆記具において、前軸尾端部の外周面と後軸先端部の内面の間に軟弾性体からなるＯリング７を配置するとともに、前軸に対して後軸を相対的に回転させたときにＯリングに摺動する後軸の内面を多角形とする。後軸内面の多角形を正６角形〜正２４角形にする。【選択図】  図３
2006175618.tif 000002
【特許請求の範囲】
【請求項１】
前軸と後軸からなる軸筒内にレフィールおよびカム機構が配置され、前軸に対して後軸を相対的に回転させるとカム機構の作用によりレフィールが前後進し、レフィールのペン体が前軸の先端開口から出没する筆記具において、
前軸尾端部の外周面と後軸先端部の内面の間に軟弾性体からなるＯリングが配置されるとともに、前軸に対して後軸を相対的に回転させたときにＯリングに摺動する後軸の内面が多角形であることを特徴とする筆記具。
【請求項２】
前記後軸内面の多角形が正６角形〜正２４角形であることを特徴とする請求項１記載の筆記具。
【発明の詳細な説明】
【技術分野】
【０００１】
本発明は、前軸に対して後軸を相対的に回転させるとカム機構の作用によりレフィールが前後進し、レフィールのペン体が前軸の先端開口から出没する回転カム式の筆記具に関するものである。
【背景技術】
【０００２】
筆記具、例えばボールペン、ことに高級なボールペンにおいては、後軸の先端開口が前軸の尾端部を覆うようにして回転可能に接続された前軸と後軸からなる軸筒内に１本のボールペンレフィールとカム機構を配置し、前軸に対して後軸を相対的に回転させるとカム機構の作用によりボールペンレフィールが前後進し、ボールペンレフィールのペン体が前軸の先端開口から出没するものが数多く実用化されている。そして、高級ボールペンなるが故に、前軸に対して後軸を相対的に回転させたときのフィーリングが非常に重要になる。つまり、高級感を出すためには、回転時の前軸と後軸の摺動抵抗が大き過ぎず、かつ小さ過ぎずに適度の摺動抵抗でスムーズに回転する必要がある。
【発明の開示】
【発明が解決しようとする課題】
【０００３】
そこで、回転時の前軸と後軸の摺動抵抗が大き過ぎず、かつ小さ過ぎずに適度の摺動抵抗でスムーズに回転させるために、後軸の先端部内周面と前軸の尾端部外周面との摺動部分に軟弾性体からなるＯリングを介在させ、後軸の先端部内周面が前軸の尾端部外周面に固定されたＯリングに摺接して回転するようにすることが行われる。つまり、Ｏリングは後軸の先端部内周面と前軸の尾端部外周面に圧接した状態で配置される。
【０００４】
しかしながら、後軸や前軸、およびＯリングに寸法のばらつきがあるために、筆記具として組み立てたときに、Ｏリングに加わる圧接力にもばらつきが生じる。このため、回転時の摺動抵抗にばらつきが生じ、筆記具によっては所期の摺動抵抗が得られず、高級感が阻害される不具合がある。
【０００５】
そこで本発明は、前軸に対して後軸を相対的に回転させたときに、摺動抵抗のばらつきが少なくてスムーズに回転し、高級感を出すのに適した回転カム式の筆記具を提供することを目的とする。
【課題を解決するための手段】
【０００６】
かかる目的を達成するために、本発明は、前軸と後軸からなる軸筒内にレフィールおよびカム機構が配置され、前軸に対して後軸を相対的に回転させるとカム機構の作用によりレフィールが前後進し、レフィールのペン体が前軸の先端開口から出没する筆記具において、前軸尾端部の外周面と後軸先端部の内面の間に軟弾性体からなるＯリングを配置するとともに、前軸に対して後軸を相対的に回転させたときにＯリングに摺動する後軸の内面を多角形とする。また、この後軸内面の多角形は正６角形〜正２４角形であることが好ましい。
【発明の効果】
【０００７】
Ｏリングに摺動する後軸の内面を多角形としたので、Ｏリングは後軸の多角形の辺の部分で圧接されて、この多角形の隅部とＯリングの間に隙間が生じる。したがって、寸法ばらつきによりＯリングに対する圧接力がばらついても、圧接力に応じてＯリングが弾性変形し、圧縮したことにより生じる余肉の部分が多角形の隅部とＯリングの間に隙間に移動する。つまり、多角形の隅部とＯリングとの間の隙間の存在により、Ｏリングが弾性変形し易くなり、圧接力のばらつきを吸収することかできる。したがって、摺動抵抗のばらつきが少なくなり、スムーズに回転させることができる。
【０００８】
この後軸内面の多角形が５角形以下であると、多角形の隅部とＯリングとの間の隙間が大きくなるとともにＯリングに摺接する分が少なくなり、スムーズに回転しにくくなる。また、２４角形を超えると、多角形の隅部とＯリングとの間の隙間が極めて小さくなって円形に近くなるので所期の効果を得にくくなる。
【発明を実施するための最良の形態】
【０００９】
図面はボールペンに本発明を適用した例を示す。図１において、軸筒は回転可能に接続された前軸１と後軸２からなり、軸筒内部に１本のボールペンレフィール３およびカム５と従動部材４からなるカム機構が配置されている。前軸１は、ボールペンレフィール３先端のペン体３１が出没する先端開口１１を有するが、前軸１の尾端に継ぎ手１２が接続されており、継ぎ手１２は前軸１の一部を構成している。後軸２の尾端に尾栓８が嵌着されるとともにクリップ９が取り付けられている。
【００１０】
円筒状のカム５が後軸２の内部に固定されている。カム５の下端縁は斜めに切裁されており、この下端縁がカム面５ａである。一方、継ぎ手１２には案内筒６が接続されているが、案内筒６尾端の内鍔部６１がカム５の外周部に回転可能に係止している。つまり、後軸２に固定されたカム５と前軸１に接続された案内筒６が回転可能に係止することにより、前軸１と後軸２が回転可能に接続されている。内鍔部６１は下側のＯリング５２およびスプリング５３で弾発された上側のＯリング５１で挟圧されており、カム５と案内筒６の連結部分が上下方向にがたつかないようになっている。
【００１１】
例えば油性インキが充填されたボールペンレフィール３はリターンスプリング３２により尾端側に弾発されており、ボールペンレフィール３の尾端面は案内筒６内に配置された従動部材４に当接している。従動部材４にはフォローア部４１が形成されており、フォローア部４１は案内筒６の縦方向に形成されたスリットから一部が突出している。つまり、従動部材４は案内筒６内に前後進可能、かつ回転不能の状態で配置されている。そして、カム５のカム面５ａがフォローア部４１に当接している。したがって、カム５が回転すると従動部材４はカム面５ａのプロフィールに従って前後進する。
【００１２】
前軸１と後軸２を接続したとき、後軸２の先端部内面は前軸１の尾端部および継ぎ手１２を覆う状態になっているが、図２に示すように、継ぎ手１２には円環状の凹溝１２ａが形成されている。そして、この凹溝１２ａに軟弾性体、例えばシリコンゴムからなるＯリング７が嵌め込まれており、このＯリング７が後軸２先端の内面１２ａに圧接している。ここで、後軸２先端の内面１２ａは、図３に示すように、正６角形から正２４角形の間の多角形、例えば正８角形の多角形をしている。したがって、Ｏリング７は多角形の辺２ｂに圧接しているが、多角形の隅部２ｃにおいてはＯリング７との間に少し隙間があいている。
【００１３】
しかして、図１に示す状態から後軸２を前軸１に対して回転させると、前述のとおり、カム５の作用により従動部材４はリターンスプリング３２の弾発力に抗して前進し、図４に示すように、ボールペンレフィール３先端のペン体３１が前軸１の先端開口１１から突出して筆記可能になる。そして、更に後軸２を前軸１に対して回転させると、ボールペンレフィール３先端のペン体３１が前軸１の先端開口１１から没入し、図１の状態に戻る。このとき、後軸２先端の内面１２ａがＯリング７に摺接するので所定の摺動抵抗でスムーズに回転するが、後軸２先端の内面１２ａが多角形であるので、前述のとおり、圧接力にばらつきが生じても、多角形の隅部２ｃではＯリング７との間に少し隙間があいているので、Ｏリング７が弾性変形し易い。このため、寸法のばらつきによって圧接力がばらついても、圧接力に応じてＯリング７が弾性変形し、圧接力のばらつきを容易に吸収することができる。
【図面の簡単な説明】
【００１４】
【図１】本発明実施例の正面図である。
【図２】同じく要部の断面図である。
【図３】後軸先端内面の形状の説明図である。
【図４】筆記可能状態の説明図である。
【符号の説明】
【００１５】
１      前軸
１１      先端開口
１２      継ぎ手
２      後軸
２ａ    後軸先端の内面
３      レフィール
３１      ペン体
３２      リターンスプリング
４      従動部材
４１      フォローア部
５      カム
５ａ    カム面
６      案内筒
６１      内鍔部
７      Ｏリング
８      尾栓
９      クリップ
【図１】
2006175618.tif 000003
【図２】
2006175618.tif 000004
【図３】
2006175618.tif 000005
【図４】
2006175618.tif 000006